(57)【要約】【課題】電話会社の通話システムを変更することなく、同じ通話変換方式の複数の電話回線を収容することのできる携帯電話端末を提供すること。【解決手段】本発明によれば、発信機、受信機、マイクロフォン、スピーカ、およびキー入力部に接続されて電話機能を実現させる基本回路と、契約する電話回線毎に１つ割り当てられる複数のメモリ部であって、それぞれが、契約する電話回線に関連付けられたＩＤ番号を１つ保持する複数のメモリ部とを有する携帯電話端末が提供される。この複数回線収容携帯電話端末は、発信時に、複数のメモリ部のうちの所望の１つを基本回路に接続することにより使用する電話回線を選択することができ、待受時に、基本回路と連絡するメモリ部を順に自動的に切り換えて全てのＩＤ番号を外部に向けて発信し、したがって複数の電話回線に対する呼び出し要求に応じることができる。【選択図】図１
2005094236.tif 000002
【特許請求の範囲】
【請求項１】
アンテナを介して電波を発信および受信する受発信手段と、
音声を入力および出力するためのマイクロフォンおよびスピーカと、
操作信号を入力するためのキー入力部と、
前記受発信手段、前記マイクロフォン、前記スピーカ、および前記キー入力部に接続されてこれらを制御し、電話機能を実現させる基本回路と、
契約する電話回線毎に１つ割り当てられる複数のメモリ部であって、それぞれが、契約する電話回線に関連付けられたＩＤ番号を１つ記憶するようになっている複数のメモリ部とを有する複数回線収容携帯電話端末であって、
発信時には、前記複数のメモリ部のうちの所望の１つのみが前記基本回路と連絡するように前記キー入力手段を用いて操作することによって使用する電話回線を選択することができ、
待受時には、前記複数のメモリ部が１つずつ前記基本回路と連絡するように自動的に切り換えられ、前記基本回路は連絡している前記メモリ部のそれぞれに保持されている前記ＩＤ番号を外部に向けて発信し、それによって前記携帯電話端末の所在地を外部に知らせて、複数の電話回線に対する呼び出し要求に応じることを可能にした複数回線収容携帯電話端末。
【請求項２】
前記基本回路と前記複数のメモリ部との間に配置された切換装置をさらに有し、該切換装置が、待受時に、前記基本回路と連絡するメモリ部を自動的に切り換えるようになっている請求項１に記載の複数回線収容携帯電話端末。
【請求項３】
単一の通話変換方式による電話回線のみ収容可能である請求項１または請求項２に記載の複数回線収容携帯電話端末。
【請求項４】
前記基本回路に接続されたディスプレイ装置をさらに有し、該ディスプレイ装置は、呼び出し要求があった場合に、複数の電話回線のうちのいずれの電話回線に対する呼び出し要求があったかを表示するようになっている請求項１から請求項３までのいずれか１項に記載の複数回線収容携帯電話端末。
【請求項５】
前記各メモリ部が、割り当てられた電話回線に関する自己の電話番号、割り当てられた電話回線のための電話帳を記憶するようになっている請求項１から請求項４までのいずれか１項に記載の複数回線収容携帯電話端末。
【請求項６】
前記キー入力部が、契約する電話回線毎に１つ割り当てられる複数の通話ボタンであって、前記複数のメモリ部のうちの対応するメモリ部にそれぞれ関連付けられた複数の通話ボタンを含み、発信時には該通話ボタンを押すことにより使用する電話回線およびメモリ部を予め選択することができ、また着信時には呼び出し要求のあった電話回線に関連付けられた前記通話ボタンを押すことにより通話を確立するようになっている請求項１から請求項５までのいずれか１項に記載の複数回線収容携帯電話端末。
【請求項７】
前記複数のメモリ部が２つのメモリ部であり、したがって２つの電話回線を収容可能であることを特徴とする請求項１から請求項６までのいずれか１項に記載の複数回線収容携帯電話端末。
【発明の詳細な説明】
【技術分野】
【０００１】
本発明は、携帯電話端末に係わり、より具体的に言えば、１台で複数の電話回線を利用することのできる携帯電話端末に関するものである。
【背景技術】
【０００２】
従来、１台の携帯電話端末で契約することのできる電話回線は１つだけであり、したがって使用することのできる電話番号もただ１つだけである。
【０００３】
ここで、従来の携帯電話端末が、契約した電話会社を介して通話を確立するしくみを図４を参照しながら具体的に説明すると、従来の携帯電話端末１は、電話番号に関連付けられた特有のＩＤ番号を１つ有しており、待受状態にあるときにこのＩＤ番号を知らせる電波を頻繁に外部に向けて発信している。この電波は、電話会社の最寄りの基地局ａによって受信され、基地局ａは、当該携帯電話端末１が自己のエリア内にあることを電話会社の中央制御局２へ連絡する。そして連絡を受けた中央制御局２は、このＩＤ番号および基地局情報を位置登録用データベース３に記録する。
【０００４】
携帯電話端末１はＩＤ番号を頻繁に外部に向けて発信しているので、携帯電話端末１が例えば基地局ａのエリア内から基地局ｂのエリア内に移動しても、ＩＤ番号がただちに基地局ｂによって受信され、中央制御局２に連絡される。連絡を受けた中央制御局２は、このＩＤ番号に関する位置登録用データベース３の情報を書き換える。このようにして、電話会社は、携帯電話端末１の位置情報を常に把握している。
【０００５】
したがって携帯電話端末１が、例えば一般公衆回線４からの呼び出しを受けた場合、中央制御局２は位置登録用データベース３にアクセスして、呼び出しを受けた電話番号に関連付けられたＩＤ番号およびその所在地を検索する。そして携帯電話端末１が存在する基地局に回線を接続し、その基地局を通して携帯電話端末１を呼び出すことにより通話を確立する。
【０００６】
一方、携帯電話端末１から電話をかける場合には、最寄りの基地局に接続して自己のＩＤ番号に空いているチャンネルを割り振ってもらい、それによって中央制御局２を通して、例えば一般公衆回線４への通話を確立する。
【０００７】
このしくみに対応して、図５に模式的に示すように、従来の携帯電話端末１の基本構造は、アンテナ１１を通して電波を受信および発信する受信機１２および発信機１３と、音声を出力および入力するためのスピーカ１４およびマイクロフォン１５と、携帯電話端末１を操作するためのキーボード１６と、情報を表示するためのディスプレイ１７と、これらに接続されて動作を制御することにより電話機能を実現する基本回路（ベースバンド）１８とから構成されている。
【０００８】
基本回路１８にはメモリ部１９がさらに接続されており、このメモリ部１９には携帯電話端末１のＩＤ番号が記録されている。しかしながら、メモリ部１９は、例えば電話帳としてなど、他の情報を記憶するために使用することもできる。基本回路１８はまた、待受時に、メモリ部１９に記録されたＩＤ番号を電波として発信して外部に知らせるように各構成要素を制御する。
【発明の開示】
【発明が解決しようとする課題】
【０００９】
上述の通話システムおよび端末構成によれば、従来の携帯電話端末は、契約した１つの電話回線しか利用することができず、したがってユーザが複数の電話番号または電話回線を使用したい場合、例えば公用・私用で区別して２つの電話番号を使用したい場合には、複数台の携帯電話端末を持ち歩く必要があった。具体的には、例えば法人の従業員が法人名義の携帯電話端末を業務上与えられていても、その使用目的は業務に限定されていることがほとんどであり、したがって従業員が個人でも携帯電話端末を利用したい場合には２台の端末を持ち歩く必要があった。２台の携帯電話端末を持ち歩くことは非常に嵩張る上、混乱を生じ易く、全く非合理的であった。
【００１０】
一方、従来においても通話変換方式の異なる２つの電話回線を利用可能とした携帯電話端末（例えばＰＤＣ方式とＰＨＳ方式や、ＰＤＣ方式とＣＤＭＡ方式）は存在したが、例えば上述の従業員のようなケースにおいて、法人の使用者および従業員の両方が利用したいと考える通話変換方式は、利用範囲が広くて最も普及している通話変換方式、すなわち同一の通話変換方式に収斂されることが普通であり、したがって従来の「ハイブリッド」型の複数回線収容携帯電話端末ではユーザの要求を満足することはできない。
【００１１】
また従来のハイブリッド型携帯電話端末を使用するためには、電話会社との間で、「ハイブリッド」用に用意された特定の１つの契約を結ぶか、あるいは同一名義で複数の契約を同時に結ぶことが必要であり、これはユーザが公用・私用に分けて複数の電話回線を使用するという目的に対して不都合である。またハイブリッド型携帯電話端末は、例えば異なる通話変換方式に対応することのできる発信機や受信機が必要であるなど、装置として比較的大型となり易く、その分製造コストもかかる。
【００１２】
したがって本発明の目的は、単一の通話変換方式に対応した携帯電話端末において、電話会社で特別の契約プランや通話システムを構築することなく、１台で複数の電話回線を利用することができ、したがってユーザが複数の電話番号（電話回線）を完全に使い分けることを可能にする、小型で安価な複数回線収容携帯電話端末を提供することである。
【課題を解決するための手段】
【００１３】
この目的を達成するために、本発明の複数回線収容携帯電話端末は、アンテナを介して電波を発信および受信する受発信手段と、音声を入力および出力するためのマイクロフォンおよびスピーカと、操作信号を入力するためのキー入力部と、受発信手段、マイクロフォン、スピーカおよびキー入力部に連結されて電話機能を実現させる基本回路と、契約する電話回線毎に１つ割り当てられるようになっている複数のメモリ部であって、契約する電話回線に関連付けられたＩＤ番号をそれぞれ１つ保持するようにされた複数のメモリ部とを有している。この複数回線収容携帯電話端末は、発信時に、複数のメモリ部のうちの所望の１つのみが基本回路に接続されるようにキー入力手段を用いて操作することができ、それによって使用する電話回線を選択することができる。また待受時には、複数のメモリ部が１つずつ順に基本回路に接続されるように自動的に切り換えられ、したがって全てのＩＤ番号が外部に向けて発信され、これは複数の電話番号（電話回線）に対する呼び出し要求に応じることを可能にする。
【００１４】
本発明の複数回線収容携帯電話端末は、待受時に基本回路に接続されるメモリ部を自動的に切り換えるための、基本回路と複数のメモリ部との間に配置された切換装置（例えばＣＰＵ）をさらに有していてもよい。基本回路に対するメモリ部の接続および切り換えはこの切換装置が行うので、基本回路を含む他の構成要素それぞれ（例えばアンテナ、受発信手段、メモリ部など）は、完全に従来の携帯電話端末のものを使用することができる。すなわち、本発明の複数回線収容携帯電話端末のために必要な新規部品が最小限とされており、これは端末の小型化および製造コストの削減に寄与する。
【００１５】
本発明は、電話会社の通話設備や通話システムに対する変更を必要としないので、ユーザサイドで本発明の複数回線収容携帯電話端末を採用するだけで、複数の電話回線を全く別個に契約することができ、これはユーザの利便性を向上する。
【００１６】
本発明によれば、複数のメモリ部は、割り当てられた電話回線に関連する自己の電話番号および電話帳を収容するようになされていてもよい。これにより、基本回路には、使用する電話回線に応じて関連する電話帳が連結されることとなり、例えば公用・私用の使い分けをより一層便利にすることができる。
【００１７】
また本発明によれば、複数回線収容携帯電話端末は、基本回路に連結されるディスプレイ装置を有していてもよい。ディスプレイ装置は、キー入力部の操作性を向上するだけでなく、メモリ部に記録された電話帳を表示したり、呼び出し要求があった場合に、複数の電話回線のうちのいずれの電話回線に対して呼び出し要求がなされているかを表示することもできる。
【００１８】
キー入力部は、契約する電話回線毎に１つ割り当てられる複数の通話ボタンを含んでいてもよい。これら通話ボタンは、複数のメモリ部にそれぞれ関連付けられ、発信時に通話ボタンのいずれかを押して、使用する電話回線およびメモリ部を予め選択することができ、また着信時に呼び出し要求のあった電話回線を選択するように通話ボタンを押すこともできる。この構成は、ユーザが複数の電話回線のうちから１つを選択することを容易にし、また選択の間違いを防ぐのに寄与する。しかしながら、電話回線の選択は他の手段、例えばメニュー画面から行うことや、ダイヤルキーを操作することによって行うこともできることに留意されたい。
【００１９】
本発明の上述した目的および他の目的、特徴および利点は、発明を実施するための最良の形態に係る以下の説明を、添付図面を参照しながら読むことにより容易に明らかになろう。
【実施例】
【００２０】
図１から図３までにおいて、図４および図５と同様の構成は同様の参照番号で示されていることに留意されたい。
【００２１】
図１は、本発明による複数回線収容携帯電話端末の１つの実施形態である、２つの電話回線を収容する携帯電話端末３０の基本構造を模式的に示している。携帯電話端末３０は、受信機１２および発信機１３からなる受発信手段であって、アンテナ１１を介して電波を発信および受信する受発信手段を有し、この受発信手段は、特定の通話変換方式、具体的にはＰＤＣ（Ｐｅｒｓｏｎａｌ  Ｄｉｇｉｔａｌ  Ｃｅｌｌｕｌｅｒ）方式にのみ対応している。しかしながらこの受発信手段は特定の通話変換方式にのみ対応したものであればよく、例えばＣＤＭＡ（Ｃｏｄｅ  Ｄｉｖｉｓｉｏｎ  Ｍｕｌｔｉｐｌｅ  Ａｃｃｅｓｓ）方式にのみ対応したものであってもよいことに留意されたい。携帯電話端末３０はまた、音声を出力するスピーカ１４および音声を入力するためのマイクロフォン１５と、電話番号や各種操作コマンドを入力するためのキーボード１６と、キーボードの入力内容や携帯電話のステータスなどを表示するディスプレイ１７とをさらに有し、上述の受発信手段、スピーカ１４、マイクロフォン１５、キーボード１６、およびディスプレイ１７に連結された基本回路（ベースバンド）１８がこれらを制御して電話機能を実現する。
【００２２】
２回線収容携帯電話端末３０は、それぞれは従来のメモリ部１９（図５）と同じである回線Ａ用のメモリ部１９ａおよび回線Ｂ用のメモリ部１９ｂを有している。各メモリ部は、割り当てられた電話回線に関する自己の電話番号およびＩＤ番号を収容しており、また当該電話回線に関連してユーザが使用する電話帳としても機能する。またこのメモリ部１９ａおよび１９ｂと、基本回路１８との間には、メモリ切換用ＣＰＵ４０が配置され、メモリ部のいずれか一方のみを常に基本回路１８に接続している。ここで、回線Ａ用のメモリ部１９ａが接続されている時には、回線Ａを利用することのできる携帯電話端末が構成され、回線Ｂ用のメモリ部１９ｂが接続されている時には、回線Ｂを利用することのできる携帯電話端末が構成されることに留意されたい。
【００２３】
より具体的には、端末３０が待受状態（非通話状態）にあるときに、メモリ切換用ＣＰＵ４０は、基本回路１８に接続するメモリ部を所定の周期で自動的に切り換える。しかしながら、メモリ切換用ＣＰＵ４０は所定の周期ではなく、不規則に、あるいは所定の誘因に反応して基本回路１８に接続するメモリ部を切り換えてもよいことに留意されたい。その結果、図３に示すように、２回線収容携帯電話端末３０は、メモリ部１９ａおよび１９ｂにそれぞれ記録されたＩＤ番号ＡおよびＩＤ番号Ｂの両方を最寄りの基地局ａに発信し、したがって中央制御局２にはＩＤ番号ＡおよびＩＤ番号Ｂの両方が基地局ａのエリアにあるという位置データが記録される。したがって、一般公衆回線４を介して回線Ａの電話番号および回線Ｂの電話番号のいずれの呼び出しを受けた場合でも、中央制御局２は、位置登録用データベース３にアクセスして、当該ＩＤ番号を有する端末３０が基地局ａのエリアにあることを検知して基地局ａに回線を接続し、そこを通じて端末３０を呼び出すことができる。
【００２４】
本発明の２回線収容携帯電話端末３０の１つの実施形態の外観が、図２に示されている。キーボード１６は、通話ボタン１６ａおよび１６ｂを含み、この通話ボタン１６ａおよび１６ｂが２つの電話回線ＡおよびＢにそれぞれ関連付けられている。したがって回線Ａに係る呼び出しを受けた場合には通話ボタン１６ａを押すことによりメモリ切換用ＣＰＵ４０が基本回路１８を回線Ａ用メモリ１９ａに接続して、回線Ａに対応した端末を構成し、通話を可能にする。同様に、回線Ｂに係る呼び出しを受けた場合には通話ボタン１６ｂを押すことによりメモリ切換用ＣＰＵ４０が基本回路１８を回線Ｂ用メモリ１９ｂに接続して、回線Ｂに対応した端末を構成し、通話を可能にする。
【００２５】
一方、発信時には、通話ボタン１６ａおよび１６ｂのいずれかを押してメモリ切換用ＣＰＵ４０が回線Ａ用メモリ１９ａおよび回線Ｂ用メモリ１９ｂのいずれかを基本回路１８に接続するように指示することにより、予め使用する電話回線を選択することができる。ユーザは、したがってそれぞれの電話回線に関連付けられたメモリ部に収容された電話帳を利用して発信することができる。
【００２６】
尚、本発明の他の実施形態によれば、電話回線の選択は通話ボタン１６ａおよび１６ｂの代わりに、ダイヤル式スイッチや、ディスプレイ１７に表示されるメニュー画面から選択することなどが可能であることに留意されたい。また基本回路１８に接続されるメモリ部の選択、切り換え、あるいは制御は、必ずしもメモリ切換用ＣＰＵ４０によってなされる必要はなく、例えば他の機械的な切換機によって切り換えられてもよく、あるいは基本回路１８自体が、接続するメモリ部を選択あるいは切り換えるようになっていてもよい。
【００２７】
本発明によれば、ユーザは、複数の電話回線を利用する場合でも、複数台の携帯電話端末を持ち歩く必要がない。結果的に、ユーザ（例えば法人の使用者および従業員）が購入する携帯電話端末の台数を減らすことができ、これは無駄を省き、広義には省エネルギーに貢献する。
【００２８】
本発明による複数回線収容携帯端末は、端末として複数台分の機能を有する一方、１台分の主要部品から製造することができ、したがって製造コストの上昇を抑えることができる。
【００２９】
またユーザは、本発明による複数回線収容携帯電話端末を採用するだけで、電話会社の中央制御局の管理システムを変更することなく、複数の電話回線を利用することが可能になる。したがってこれらの電話回線は完全に独立した別個の契約とすることができ、各回線毎に課金や料金請求されるので、公用・私用の使い分けをより完全にすることができる。
【００３０】
以上、本発明の１つの実施形態について説明したが、前記実施形態は、本発明の全ての取り得る形態を説明することを意図するものではなく、また本明細書で使用する用語は、説明のためのものであって限定を与えるものではなく、本発明の精神および範囲を逸脱することなく様々な変更を加えることができることを理解されたい。
【図面の簡単な説明】
【００３１】
【図１】本発明の１つの実施形態による２回線収容携帯電話端末の構成を表した模式図。
【図２】図１に示される携帯電話端末の外観図。
【図３】図１の携帯電話端末において通話が確立されるしくみを説明する図。
【図４】従来の携帯電話端末において通話が確立されるしくみを説明する図。
【図５】従来の携帯電話端末の構成を表した模式図。
【符号の説明】
【００３２】
１  従来の携帯電話端末
２  中央制御局
３  位置登録用データベース
４  一般公衆回線
１１  アンテナ
１２  受信機
１３  発信機
１４  スピーカ
１５  マイクロフォン
１６  キーボード
１６ａ  回線Ａ用通話ボタン
１６ｂ  回線Ｂ用通話ボタン
１７  ディスプレイ
１８  基本回路
１９  メモリ部
１９ａ  回線Ａ用メモリ部
１９ｂ  回線Ｂ用メモリ部
３０  ２回線収容携帯電話端末
【図１】
2005094236.tif 000003
【図２】
2005094236.tif 000004
【図３】
2005094236.tif 000005
【図４】
2005094236.tif 000006
【図５】
2005094236.tif 000007